(57)【要約】【課題】  湾曲した形状の装飾用ピアス軸であっても容易に身体の一部に刺し通すことができ、また該装飾用ピアス軸の装着感を良好にするための穿孔用ピアス針を提供する。【解決手段】  穿孔用ピアス針１の基端面に係合孔２を設けておき、該係合孔２に装飾用ピアス軸３０の一端を嵌入して係合し、該穿孔用ピアス針１を身体の一部に刺し通していくとともに該穿孔用ピアス針１をガイドとして装飾用ピアス軸３０を身体内に刺し通す。【選択図】    図６
2005066004.tif 000002
【特許請求の範囲】
【請求項１】
身体の一部に穿孔するために刺し通される穿孔用ピアス針であって、
上記穿孔用ピアス針の基端部には、該ピアス針の身体への挿通を阻止するストッパが着脱自在に設けられており、
上記穿孔用ピアス針の基端面には、装飾用ピアス軸の一端を嵌入して係合するための係合孔が開口していることを特徴とする穿孔用ピアス針。
【請求項２】
身体の一部に穿孔するために刺し通される穿孔用ピアス針であって、
上記穿孔用ピアス針の基端部には、該ピアス針の身体への挿通を阻止するストッパが着脱自在に設けられており、
上記穿孔用ピアス針の基端面には、装飾用ピアス軸の一端を螺合するためのネジ孔が形成されていることを特徴とする穿孔用ピアス針。
【発明の詳細な説明】
【技術分野】
【０００１】
本発明は、穿孔用ピアス針に関するものである。
【背景技術】
【０００２】
身体の一部（例えば、耳たぶ、鼻、へそなど）に装飾用ピアスを装着するには、その身体の一部にピアス孔をあけておく必要がある。そのためには、ピアス針を専用の穿孔器によって打ち出して身体に刺し通し、該ピアス針を身体の反対側で止具に結合させた状態を数週間続ける必要がある。このピアス針は、身体に刺し通すために尖鋭な針部と、該針部の基端に設けられた装飾用ヘッドとから構成されている（特許文献１参照）。
【特許文献１】特開２００２−２８２０２２号公報
【発明の開示】
【発明が解決しようとする課題】
【０００３】
しかし、上述の穿孔用ピアス針は直棒状であるため、このピアス針をへそ用ピアスのピアス孔をあける場合に用いると、穿孔用ピアス針をへそ周辺の腹部に刺し通してからピアス孔が完成するまでの間に、穿孔用ピアス針を刺した腹部の筋肉が伸び縮みすることによって腹部に痛みを伴う恐れがある。そこで、腹部の筋肉の伸び縮みによる痛みを軽減するためには、湾曲した形状の軸部を有する穿孔用ピアス針を用いることが好ましいが、このような湾曲形状のピアス針を腹部の所定の位置に刺し通すことは非常に難しかった。
【０００４】
また、一般的にへそ用ピアスはその軸部が湾曲した形状であるのに対し、上記穿孔用ピアス針によってあけられたピアス孔は腹部に真っ直ぐに貫通した孔であるため、該ピアス孔に湾曲形状のへそ用ピアスを挿入すると、その形状の違いによりへそ用ピアスを装着した部位に圧迫感を感じるなど、ピアスの装着感が非常に不快なものとなってしまうといった問題があった。
【０００５】
本発明は、かかる点に鑑みてなされたものであり、その目的とするところは、湾曲した形状の装飾用ピアス軸であっても容易に身体の一部に刺し通すことができ、また該装飾用ピアス軸の装着感を良好にするための穿孔用ピアス針を提供することにある。
【課題を解決するための手段】
【０００６】
本発明は、上記課題に対して、穿孔用ピアス針の基端面に係合孔を設けておき、該係合孔に装飾用ピアス軸の一端を嵌入して係合し、該穿孔用ピアス針を身体の一部に刺し通していくとともに該穿孔用ピアス針をガイドとして装飾用ピアス軸を身体内に刺し通していくことで、湾曲した形状の装飾用ピアス軸であっても容易に身体に刺し通すことができるようにした。
【０００７】
すなわち、請求項１に係る発明は、身体の一部に穿孔するために刺し通される穿孔用ピアス針であって、
上記穿孔用ピアス針の基端部には、該ピアス針の身体への挿通を阻止するストッパが着脱自在に設けられており、
上記穿孔用ピアス針の基端面には、装飾用ピアス軸の一端を嵌入して係合するための係合孔が開口していることを特徴とする。
【０００８】
従って、本発明によれば、穿孔用ピアス針を身体の一部に刺した後、穿孔用ピアス針の基端面に開口した係合孔に装飾用ピアス軸の一端を嵌入して係合し、穿孔用ピアス針をさらに身体内に刺し通していくことにより、湾曲した形状の装飾用ピアス軸であっても該穿孔用ピアス針がガイドとなってスムーズに装飾用ピアス軸を身体に刺し通すことができる。これにより完成したピアス孔は、上記装飾用ピアス軸に対応した湾曲形状となるため、該ピアス孔に湾曲形状の装飾用ピアス軸を装着しても違和感を感じることなく良好な装着感が得られる。
【０００９】
請求項２に係る発明は、身体の一部に穿孔するために刺し通される穿孔用ピアス針であって、
上記穿孔用ピアス針の基端部には、該ピアス針の身体への挿通を阻止するストッパが着脱自在に設けられており、
上記穿孔用ピアス針の基端面には、装飾用ピアス軸の一端を螺合するためのネジ孔が形成されていることを特徴とする。
【００１０】
従って、本発明によれば、装飾用ピアス軸の一端を穿孔用ピアス針の基端面に形成されたネジ部に螺合させることによって、より確実に両ピアス針同士を結合させることができ、穿孔用ピアス針をガイドとして装飾用ピアス軸を身体へ刺し通す際に、偶発的に装飾用ピアス軸が外れてしまうといった危険性を回避する上で有利となる。
【発明の効果】
【００１１】
以上のように、請求項１に係る発明によれば、穿孔用ピアス針の基端部には、該ピアス針の身体への挿通を阻止するストッパが着脱自在に設けられているから、穿孔用ピアス針を身体の一部に刺し通す際に該ストッパが身体に当接するため穿孔用ピアス針全体が身体内に入り込んでしまうのを防止することができる。また、穿孔用ピアス針の基端面には、装飾用ピアス軸の一端を嵌入して係合するための係合孔が開口しているから、穿孔用ピアス針の係合孔に装飾用ピアス軸の一端を係合させた状態で穿孔用ピアス針をさらに身体内に刺し通していくことにより、湾曲した形状の装飾用ピアス軸であっても該穿孔用ピアス針がガイドとなってスムーズに装飾用ピアス軸を身体に刺し通すことができる。これにより完成したピアス孔は、上記装飾用ピアス軸に対応した湾曲形状となるため、該ピアス孔に湾曲形状の装飾用ピアス軸を装着しても違和感を感じることなく良好な装着感が得られる。
【００１２】
請求項２に係る発明によれば、装飾用ピアス軸の一端を穿孔用ピアス針の基端面に形成されたネジ部に螺合させることによって、より確実に両ピアス針同士を結合させることができ、穿孔用ピアス針をガイドとして装飾用ピアス軸を身体へ刺し通す際に、偶発的に装飾用ピアス軸が外れてしまうといった危険性を回避する上で有利となる。
【発明を実施するための最良の形態】
【００１３】
以下、本発明の実施の形態を図面に基づいて説明する。
【００１４】
−実施形態１−
＜穿孔用ピアス針について＞
図１に示すように、穿孔用ピアス針１の基端面には、装飾用ピアス軸３０（図６に図示）の一端を嵌入して係合するための係合孔２が開口している。また、穿孔用ピアス針１の基端部には、該ピアス針１に対して着脱自在に形成されたストッパ３が取り付けられている。
【００１５】
なお、上記穿孔用ピアス針１を構成する材料として、チタン、鉄、ステンレスなどの金属部材や硬質のプラスチック材を用いることができる。
【００１６】
上記ストッパ３は、上記穿孔用ピアス針１の針径よりも大きな円筒形状の部材からなり、該ピアス針１の身体への挿通を阻止するものである。
【００１７】
なお、上記ストッパ３を構成する材料として、軟質のプラスチック材を用いることができる。例えば抗菌剤を混入した透明のポリプロピレンによってストッパ３を構成すれば、雑菌による皮膚炎などを防止する効果を奏することができ、より好ましい。その他にも、上記穿孔用ピアス針１と同様の金属部材から構成するようにしても構わない。また、ストッパ３の形状は、上記円筒形状に限らず、球形状や立方体形状など様々な形状が考えられる。
【００１８】
＜ピアス用穿孔器について＞
上記穿孔用ピアス針１を身体の一部に刺し通すために使用するピアス用穿孔器の一例について、以下に説明する。
【００１９】
図２に示すピアス用穿孔器１０は、穿孔器本体１１と、穿孔用ピアス針１を収容するピアス針用カートリッジ１２と、止具１３を保持する止具装着部１４とからなる。２１は、上記ピアス針用カートリッジ１２と止具１３との間に身体の一部を挟み込んだ状態でピアス針用カートリッジ１２に収容された上記穿孔用ピアス針１を押し出すためのプランジャである。
【００２０】
上記穿孔器本体１１は、上側にピアス針用カートリッジ１２が設けられた第１本体部１１ａと、上側に止具装着部１４が設けられた第２本体部１１ｂとからなり、両本体部１１ａ，１１ｂはその下側に設けられた回転軸１５を中心にして回転移動できるように互いに連結されている。
【００２１】
第１本体部１１ａの周縁部の図２における右側には第１側部壁１７が形成され、第２本体部１１ｂの周縁部の図２における左側には第２側部壁１８が形成されている。また、第１本体部１１ａのピアス針用カートリッジ１２と回転軸１５との間には第１当接部１９が設けられ、第２本体部１１ｂの止具装着部１４と回転軸１５との間には第２当接部２０が設けられている。
【００２２】
そして、上記第１及び第２側部壁１７，１８に外側から力を加えると、第１及び第２本体部１１ａ，１１ｂは回転軸１５を中心に回動して、ピアス針用カートリッジ１２と止具１３とが接近するように閉じていく。このとき、第２当接部２０が第１当接部１９に当接することにより、それ以上はピアス針用カートリッジ１２と止具１３とが接近しなくなり、図３に示すような閉じ終わって穿孔準備が完了している状態となる。
【００２３】
また、第１本体部１１ａと第２本体部１１ｂとの間には、ピアス針用カートリッジ１２と止具装着部１４との間隔が開くように付勢するリターンスプリング１６が設けられている。これにより、上記第１及び第２本体部１１ａ，１１ｂに加えていた力を開放すると、リターンスプリング１６の付勢力によりピアス針用カートリッジ１２と止具１３とが離れた状態に戻される。
【００２４】
また、図４に示すように、止具１３は、中心に穿孔用ピアス針１が嵌入する針孔１３ａを有する円板部１３ｂと、該円板部１３ｂの背部に突出した一対の突起１３ｃ，１３ｃとからなる。突起１３ｃ，１３ｃは、針孔１３ａの延長線上に隙間を存して相対しており、この突起１３ｃ，１３ｃ間に穿孔用ピアス針１が嵌合するものである。
【００２５】
なお、円板部１３ｂと突起１３ｃとは、軟質のプラスチックによって一体に形成されていることが好ましい。さらに、この軟質のプラスチックとして、抗菌剤を混入した透明のポリプロピレンを用いると、皮膚炎などを防止する効果を奏することができ、より好ましい。
【００２６】
＜穿孔用ピアス針の取付手順＞
上記ピアス用穿孔器１０の使用に際しては、図２に示すようにピアス用穿孔器１０のプランジャ２１を後退位置として、穿孔用ピアス針１をピアス針用カートリッジ１２に装着する一方、止具１３の突起１３ｃを止具装着部１４に嵌め込んで止具１３を装着する。次に、ピアス針用カートリッジ１２と止具１３との間にへそ２５周辺の腹部２６（図５に図示）を挟んでおき、穿孔器本体１１の第１及び第２側部壁１７，１８に力を加えてピアス針用カートリッジ１２と止具１３との間隔を狭め、この両者間にへそ２５周辺の腹部２６を挟む。
【００２７】
そして、穿孔器本体１１の第１及び第２側部壁１７，１８に力を加えた状態を保持したまま、プランジャ２１をピアス針用カートリッジ１２後方から押していくことにより、該ピアス針用カートリッジ１２に収容されていた穿孔用ピアス針１がプランジャ２１に押されてへそ２５周辺の腹部２６を貫通し、さらに穿孔用ピアス針１が止具装着部１４に装着した止具１３の針孔１３ａに嵌合する（図５参照）。
【００２８】
＜装飾用ピアス軸の取付方法＞
上記手順により、図６に示すように、へそ２５周辺の腹部２６に穿孔用ピアス針１が貫通し、該ピアス針１の先端に止具１３が嵌合された状態において、該ピアス針１の基端部に取り付けられたストッパ３を取り外す。そして、上記穿孔用ピアス針１の基端面に開口した係合孔２に、湾曲形状をした装飾用ピアス軸３０の一端を係合する。
【００２９】
そして、図７に示すように、上記穿孔用ピアス針１をさらに腹部２６に刺し通していくことにより、該穿孔用ピアス針１をガイドとして装飾用ピアス軸３０が腹部に刺し通されていくことになる。そして、装飾用ピアス軸３０の一端が腹部２６から突出するまで刺し通した後で、穿孔用ピアス針１を装飾用ピアス軸３０から取り外し、図８に示すように該装飾用ピアス軸３０の一端に形成された雄ネジ３１（図６に図示）にピアス用装飾止具３２を取り付けることにより、湾曲形状をしたへそ用ピアスの取り付けが完了する。
【００３０】
以上により、本実施形態１に係る穿孔用ピアス針１によれば、穿孔用ピアス針１をへそ２５周辺の腹部２６に刺した後、穿孔用ピアス針１の基端面に開口した係合孔２に装飾用ピアス軸３０の一端を嵌入して係合し、穿孔用ピアス針１をさらに腹部２６に刺し通していくことにより、湾曲した形状の装飾用ピアス軸３０であっても該穿孔用ピアス針１がガイドとなってスムーズに装飾用ピアス軸３０を腹部２６に刺し通すことができる。これにより完成したピアス孔は、上記装飾用ピアス軸３０に対応した湾曲形状となるため、該ピアス孔に湾曲形状の装飾用ピアス軸３０を装着しても違和感を感じることなく良好な装着感が得られる。
【００３１】
なお、本実施形態１では、穿孔用ピアス針１を用いてへそ２５周辺の腹部２６に対して湾曲形状をした装飾用ピアス軸３０を取り付ける方法について説明したが、これに限らず、身体の他の部位に対しても同様に取り付けることができる。
【００３２】
−実施形態２−
図９は、本実施形態２に係る穿孔用ピアス針３５を示している。穿孔用ピアス針３５の基端面には、装飾用ピアス軸３０（図６参照）の一端に形成された雄ネジ３１に対応した雌ネジ３６が形成されている。また、穿孔用ピアス針３５の基端部には、該ピアス針３５に対して着脱自在に形成されたストッパ３が取り付けられている。なお、穿孔用ピアス針３５及びストッパ３の材質や外観形状等は、実施形態１と同様である。
【００３３】
また、上記穿孔用ピアス針３５を用いた装飾用ピアス軸３０の取付方法において、実施形態１との相違点は、へそ２５周辺の腹部２６（図６参照）に穿孔用ピアス針３５を刺し通した状態で、該穿孔用ピアス針３５の基端面に形成された雌ネジ３６に装飾用ピアス軸３０の一端に形成された雄ネジ３１を螺合させて装飾用ピアス軸３０と穿孔用ピアス針３５とを結合させるところである。その他の穿孔用ピアス針３５及び装飾用ピアス軸３０の腹部２６への取付手順やピアス孔の穿孔に使用するピアス用穿孔器１０等については実施形態１と同様である。
【００３４】
以上により、本実施形態２に係る穿孔用ピアス針３５によれば、装飾用ピアス軸３０の一端に形成された雄ネジ３１を穿孔用ピアス針３５の基端面に形成された雌ネジ３６に螺合させることによって、より確実に装飾用ピアス軸３０と穿孔用ピアス針３５とを結合させることができ、穿孔用ピアス針３５をガイドとして装飾用ピアス軸３０をへそ２５周辺の腹部２６へ刺し通す際に、偶発的に装飾用ピアス軸３０が外れてしまうといった危険性を回避する上で有利となる。
【００３５】
なお、本実施形態２では、穿孔用ピアス針３５を用いてへそ２５周辺の腹部２６に対して湾曲形状をした装飾用ピアス軸３０を取り付ける方法について説明したが、これに限らず、身体の他の部位に対しても同様に取り付けることができる。
【図面の簡単な説明】
【００３６】
【図１】本発明の実施形態１に係る穿孔用ピアス針を示す縦断面図である。
【図２】ピアス針用カートリッジと止具とが離れた状態のピアス用穿孔器を示す平面図である。
【図３】ピアス針用カートリッジと止具とが接近して穿孔準備完了状態のピアス用穿孔器を示す平面図である。
【図４】本発明の実施形態１に係る穿孔用ピアス針及び止具を示す斜視図である。
【図５】本発明の実施形態１に係る穿孔用ピアス針をへそ周辺の腹部に刺した状態を示す側面図である。
【図６】本発明の実施形態１に係る穿孔用ピアス針の係合孔に装飾用ピアス軸を係合するときの側面図である。
【図７】本発明の実施形態１に係る穿孔用ピアス針の係合孔に装飾用ピアス軸を係合して、へそ周辺の腹部にさらに刺し通した状態を示す側面図である。
【図８】装飾用ピアス軸をへそ周辺の腹部に装着した状態を示す側面図である。
【図９】本発明の実施形態２に係る穿孔用ピアス針を示す縦断面図である。
【符号の説明】
【００３７】
１    穿孔用ピアス針
２    係合孔
３    ストッパ
１０    ピアス用穿孔器
３０    装飾用ピアス軸
３５    穿孔用ピアス針
３６    雌ネジ
【図１】
2005066004.tif 000003
【図２】
2005066004.tif 000004
【図３】
2005066004.tif 000005
【図４】
2005066004.tif 000006
【図５】
2005066004.tif 000007
【図６】
2005066004.tif 000008
【図７】
2005066004.tif 000009
【図８】
2005066004.tif 000010
【図９】
2005066004.tif 000011